(57)【要約】【課題】視認用窓部を介した良好な視野を確保することが可能な構造の医療用リーク検査装置を提供する。【解決手段】医療用リーク検査装置１は、筒状部１１と視認用窓部１２とを有し前方に凹部が形成されている本体部１３と、筒状部１１の外周面１７に沿って設けられたバルーン部材１４と、視認用窓部１２の前方の空間への注液を行うための注液用ルーメン１５及び視認用窓部１２の前方の空間からの排気を行うための排気用ルーメン１６が形成された管状体２３と、を備えている。【選択図】図４
2018057839.tif 000002
【特許請求の範囲】
【請求項１】
筒状部と前記筒状部を閉塞している視認用窓部とを有し、前記筒状部と前記視認用窓部とにより前方に凹部が形成されている本体部と、
前記筒状部の外周面に沿って設けられ、前記筒状部との間に流体が導入されることにより、前記筒状部の外方に向けて膨張するバルーン部材と、
前記視認用窓部の前方の空間への注液を行うための注液用ルーメン及び前記視認用窓部の前方の前記空間からの排気を行うための排気用ルーメンが形成された管状体と、
を備える医療用リーク検査装置。
【請求項２】
前記注液用ルーメンの前端部と前記排気用ルーメンの前端部とが前記視認用窓部の前面と面一に位置するか又は前記視認用窓部の前面よりも後方側に位置するように構成されている請求項１に記載の医療用リーク検査装置。
【請求項３】
前記視認用窓部において前記排気用ルーメンは前記注液用ルーメンよりも前記筒状部の周壁に近い位置に配置されている請求項１又は２に記載の医療用リーク検査装置。
【請求項４】
前記視認用窓部は前記管状体が挿通される管状体挿入孔と、前記管状体挿入孔の前側開口部の一部を覆うストッパ部を有し、
前記管状体が前記管状体挿入孔に挿通され前記管状体の前端部が前記ストッパ部に当接した状態において前記注液用ルーメンの前端部と前記排気用ルーメンの前端部とが前記視認用窓部の前方の前面と面一に位置するか又は前記視認用窓部の前面よりも後方側に位置する請求項１から３のいずれか一項に記載の医療用リーク検査装置。
【請求項５】
前記管状体は、前記管状体の軸心方向が前記筒状部の軸心方向に沿うとともに、前記管状体が前記筒状部に対して偏心した状態で前記筒状部に固定されている請求項１から４のいずれか一項に記載の医療用リーク検査装置。
【請求項６】
前記バルーン部材と前記筒状部との間への流体の注入と排出を行うためのバルーン用配管を備え、
前記筒状部には周壁を貫通する連通孔が形成され、前記バルーン用配管は前記筒状部の内側から前記連通孔に接続され、
前記視認用窓部における前記バルーン用配管の固定位置が前記筒状部に対して偏心しているとともに、前記視認用窓部における前記管状体の固定位置と前記バルーン用配管の固定位置との距離が前記管状体の直径以下である請求項１から５のいずれか一項に記載の医療用リーク検査装置。
【請求項７】
前記管状体にはワイヤが挿通されている請求項１から６のいずれか一項に記載の医療用リーク検査装置。
【請求項８】
前記視認用窓部には、断熱性を有するフィラーが含有されている請求項１から７のいずれか一項に記載の医療用リーク検査装置。
【請求項９】
前記視認用窓部には、結露による曇りの発生を抑制する曇り発生抑制部が設けられている請求項１から７のいずれか一項に記載の医療用リーク検査装置。
【請求項１０】
前記曇り発生抑制部は、前記視認用窓部の少なくとも一部に親水性処理が施されることによって形成された部位である請求項９に記載の医療用リーク検査装置。
【請求項１１】
前記曇り発生抑制部は、アルコールと界面活性剤とを少なくとも含む曇り防止剤が前記視認用窓部に塗布されて形成された部位である請求項９に記載の医療用リーク検査装置。
【請求項１２】
前記曇り発生抑制部は、前記視認用窓部の後方側に設けられている請求項９から１１のいずれか一項に記載の医療用リーク検査装置。
【請求項１３】
前記曇り発生抑制部は、前記視認用窓部を構成する材料よりも高い断熱性を有する透明の樹脂部材を有し、
該樹脂部材は、前記視認用窓部を覆うように設けられている請求項９に記載の医療用リーク検査装置。
【請求項１４】
前記曇り発生抑制部は、前記視認用窓部を覆うように設けられた樹脂部材と前記視認用窓部との間に形成された空気層とによって構成されている請求項９に記載の医療用リーク検査装置。
【発明の詳細な説明】
【技術分野】
【０００１】
本発明は、医療用リーク検査装置に関する。
【背景技術】
【０００２】
特許文献１には、動脈弁の機能が正常かどうかを検査するための医療用リーク検査装置が記載されている。この文献に記載された医療用リーク検査装置は、筒状部と、筒状部の前端部又は後端部を閉塞している視認用窓部と、筒状部の外周面に沿って設けられたバルーン部材と、を備えている。特許文献１の医療用リーク検査装置は、筒状部の後端側に視認用窓部があり、その前方が凹部になっている。このため、視認用窓部が使用者に近く配置され、検査にあたって良好な視野を得ることができる。
【０００３】
検査の際には、先ず、医療用リーク検査装置を動脈弁の下流側に配置した状態でバルーン部材を膨張させることによって、医療用リーク検査装置を動脈に対して固定する。次に、医療用リーク検査装置と動脈弁との間の空間からの排気を行いながら、当該空間に液体を注入し、当該空間に液体を満たす。その後、当該空間の液圧又は液量をモニターしたり、視認用窓部を介して動脈弁を目視観察したりすることにより、動脈弁の機能を検査する。
【先行技術文献】
【特許文献】
【０００４】
【特許文献１】登録実用新案第３１３０１５２号公報
【発明の概要】
【発明が解決しようとする課題】
【０００５】
ところで、特許文献１に開示された医療用リーク検査装置においては、バルーン部材により動脈に固定しつつ、医療用リーク検査装置と動脈弁との間の空間に注液するものはあったが、視認用窓部の前方の凹部のある空間に注液するものがなかった。このため、視認用窓部からの視認性が低下することがあった。
【０００６】
本発明は上述のような課題に鑑みてなされたものであり、視認用窓部を介した良好な視野を確保することが可能な医療用リーク検査装置を提供するものである。
【課題を解決するための手段】
【０００７】
本発明によれば、筒状部と前記筒状部を閉塞している視認用窓部とを有し、前記筒状部と前記視認用窓部とにより前方に凹部が形成されている本体部と、前記筒状部の外周面に沿って設けられ、前記筒状部との間に流体が導入されることにより、前記筒状部の外方に向けて膨張するバルーン部材と、前記視認用窓部の前方の空間への注液を行うための注液用ルーメン及び前記視認用窓部の前方の前記空間からの排気を行うための排気用ルーメンが形成された管状体と、を備える医療用リーク検査装置が提供される。
【発明の効果】
【０００８】
本発明の医療用リーク検査装置によれば、視認用窓部の前方の空間への注液を行うための注液用ルーメンにより、視認用窓部を介した良好な視野を確保することが可能である。
【図面の簡単な説明】
【０００９】
【図１】実施形態に係る医療用リーク検査装置の全体図である。
【図２】図１の矢印Ａ方向から見た正面図である。
【図３】図２のＢ−Ｂ線に沿った矢視断面図である。
【図４】図２のＣ−Ｃ線に沿った矢視断面図である。
【図５】図２のＤ−Ｄ線に沿った矢視断面図である。
【図６】図５の医療用リーク検査装置のバルーン部材が膨張した状態を示す断面図である。
【図７】実施形態に係る医療用リーク検査装置の使用例を説明するための断面図である。
【図８】第２の実施形態に係る曇り発生抑制部を備える医療用リーク検査装置についての図２のＣ−Ｃ線に沿った矢視断面図である。
【図９】第３の実施形態に係る曇り発生抑制部を備える医療用リーク検査装置についての図２のＣ−Ｃ線に沿った矢視断面図である。
【発明を実施するための形態】
【００１０】
以下、本発明の実施形態を図面に基づいて説明する。なお、すべての図面において、同様の構成要素には同一の符号を付し、重複する説明は適宜に省略する。
【００１１】
本明細書では、医療用リーク検査装置の操作者側に近い側が基端（後端）、当該操作者から遠い側が先端（前端）であるものとして説明を行う。
【００１２】
〔第１の実施形態〕
図１は、第１の実施形態に係る医療用リーク検査装置の全体図である。
図２は、図１の矢印Ａ方向から見た正面図である。
図３は、図２のＢ−Ｂ線に沿った矢視断面図である。
図４は、図２のＣ−Ｃ線に沿った矢視断面図である。
図５は、図２のＤ−Ｄ線に沿った矢視断面図である。
図６は、図５の医療用リーク検査装置のバルーン部材が膨張した状態を示す断面図である。
図７は、実施形態に係る医療用リーク検査装置の使用例を説明するための断面図である。
【００１３】
実施形態に係る医療用リーク検査装置１は、筒状部１１とこの筒状部１１を閉塞している視認用窓部１２とを有する本体部１３と、バルーン部材１４と、注液用ルーメン１５及び排気用ルーメン１６が形成された管状体２３と、を備えている。本体部１３は筒状部１１と視認用窓部１２とにより前方に凹部が形成されている。
バルーン部材１４は、筒状部１１の外周面１７に沿って設けられ、筒状部１１との間に流体が導入されることにより、筒状部１１の外方に向けて膨張する。
注液用ルーメン１５は、視認用窓部１２の前方の空間１８への心筋保護液等の流体の注液を行うルーメンである。本実施形態において、空間１８に注液される心筋保護液は、心臓の筋肉を停止させたときに虚血になることを防止するものであり、約４℃の低温である。心筋保護液により心臓が低温になることで、その代謝が抑制される。
排気用ルーメン１６は、視認用窓部１２の前方の空間１８からの排気を行うルーメンである。注液用ルーメン１５の前端部と排気用ルーメン１６の前端部は、視認用窓部１２の前面と面一又は視認用窓部１２の前面よりも後方側に位置するように構成されている。
【００１４】
また、医療用リーク検査装置１は、バルーン用配管２２と、ワイヤ用ルーメン６１と、を備えている。バルーン用配管２２は、バルーン部材１４と筒状部１１との間への流体の注入と排出を行う部材である。ワイヤ用ルーメン６１は、内部にワイヤ６０を挿通するためのルーメンである。
【００１５】
図２〜図５に示すように、本体部１３の筒状部１１は円筒状のものであり、視認用窓部１２は、筒状部１１の後端部を閉塞している。視認用窓部１２は板状のものであり、その板面が筒状部１１の軸心に対して直交している。そして筒状部１１と視認用窓部１２とにより本体部１３の前方に凹形状が形成されている。
【００１６】
この凹形状の部位に、上述の低温の心筋保護液が、注液用ルーメン１５を介して注入されると、視認用窓部１２の後方の空気中の水蒸気が凝縮し、視認用窓部１２の後方側の表面に結露が生じやすくなる。結露が生じた場合には、視認用窓部１２を通しての心臓の視認性が低くなってしまう。
このような問題を解決するために、本実施形態に係る視認用窓部１２には、結露による曇りの発生を抑制するフィラー４１（図４参照）が含有されている。
フィラー４１は、視認用窓部１２の母材であるポリカーボネート等よりも高い断熱性を有するＳｉＯ２（シリカ）等であり、視認用窓部１２に混練して一体的に形成されている。このように、視認用窓部１２に断熱性を有するフィラー４１が混練されていることで、注液用ルーメン１５から筒状部１１の先端側に形成された凹部に注液される心筋保護液と、視認用窓部１２との間の熱の移動を防止できる。このため、視認用窓部１２の後方側の表面に結露が生じることを防止することができる。
例えば、視認用窓部１２において、ポリカーボネートの層と、ポリカーボネートにフィラー４１が混練されている層との２層構成としてもよい。この場合、ポリカーボネートの層よりもフィラー４１が混練されている層を後方側に配設すると、結露発生抑止に好適である。
【００１７】
なお、本発明においては視認用窓部１２が筒状部１１の後端部ではなく、軸方向の中途部分を閉塞する構成であってもよい。こうした態様によっても本体部１３の前方に凹形状が形成される。
【００１８】
筒状部１１と視認用窓部１２を含む本体部１３は、その全体が一材にて一体形成されている。本体部１３は、ポリカーボネート等の硬質且つ透明な樹脂材料により構成されている。
【００１９】
筒状部１１の軸方向における長さ（図３〜図５における前後方向の長さ）は、筒状部１１の直径よりも短いことが好ましい。このようにすることによって、視認用窓部１２を観察対象部位（例えば大動脈弁など）に対してより接近させて医療用リーク検査装置１を用いることができるため、観察対象部位の視認性を向上させることができる。
【００２０】
筒状部１１には、周壁を貫通する連通孔１１１が形成されている。筒状部１１の内側において、連通孔１１１は後述するバルーン用配管挿入ボス部１２２のバルーン用配管挿入孔１３２と連続している。
【００２１】
視認用窓部１２には、管状体２３を挿入する管状体挿入ボス部１２１、バルーン用配管２２を挿入するバルーン用配管挿入ボス部１２２及びストッパ部７０が形成されている。
【００２２】
管状体挿入ボス部１２１は視認用窓部１２の周縁部分において、筒状部１１の軸心方向に沿うとともに、筒状部１１に対して偏心した状態で設けられている。管状体挿入ボス部１２１の基端側は視認用窓部１２の後面から突出している開放端となっていて、先端側は視認用窓部１２の前面と一致している。そして管状体挿入ボス部１２１の基端側から先端側を経て視認用窓部１２の前面に至る管状体挿入孔１３１が形成されていることにより（図４参照）、管状体挿入ボス部１２１は両端部が開放端部となっている。
【００２３】
管状体挿入孔１３１の前側の開放端部はその一部がストッパ部７０により覆われている。このストッパ部７０は管状体２３の管状体挿入孔１３１への挿入時の位置決めを行うための構成である。
【００２４】
バルーン用配管挿入ボス部１２２は視認用窓部１２の周縁部分において、筒状部１１の軸心方向に沿うとともに、筒状部１１に対して偏心した状態で、管状体挿入ボス部１２１に隣接して設けられている。バルーン用配管挿入ボス部１２２の基端側は視認用窓部１２の後側表面から突出していて、先端側は筒状部１１の先端側に形成された凹部内に突出している。バルーン用配管挿入ボス部１２２の基端側から先端側にかけて、バルーン用配管挿入孔１３２が形成されていて（図５参照）、バルーン用配管挿入ボス部１２２は基端側が開放端、先端側が閉鎖端となっている。バルーン用配管挿入孔１３２は筒状部１１の周壁に形成された連通孔１１１に連続している。
【００２５】
ストッパ部７０は、その突出部７１が視認用窓部１２の前面において管状体挿入孔１３１の先端側の開放端部の一部を覆っている。管状体２３の管状体挿入孔１３１への挿入は、管状体２３の先端がストッパ部７０の突出部７１に当接するまで可能となっている。そして管状体２３の先端が突出部７１に当接した状態において、当該先端部分は視認用窓部１２の前側表面と面一となる。
【００２６】
突出部７１の管状体挿入孔１３１の方向への突出は、突出部７１の先端部分が管状体２３の周壁部分のみに当接する程度であることが好ましい。すなわち、注液用ルーメン１５から管状体２３の外周面までの距離が、突出部７１が管状体挿入孔１３１に向かって張り出している庇状の部分の長さよりも長いことが好ましい。これによりストッパ部７０が注液用ルーメン１５による流体（心筋保護液）の注液や排気用ルーメン１６による排気を妨げることを防止することができる。
【００２７】
突出部７１は管状体挿入孔１３１の周縁部分であって筒状部１１の周壁から最も離れた部分及びその近傍部分から、排気用ルーメン１６の方向に向けて突出して形成されている。これにより使用時に突出部７１の下面側（視認用窓部１２の後方側）に気泡が残存した場合でも医療用リーク検査装置１を排気用ルーメン１６が上方に位置するよう傾けるだけで当該残存した気泡を上昇させ排気用ルーメン１６からスムーズに排出することができる。
【００２８】
バルーン部材１４は、筒状部１１の外周面１７の全体に沿って設けられ、筒状部１１との間に流体が導入されることにより、筒状部１１の外方に向けて膨張するようになっている。以下の説明においてバルーン部材１４の膨張に供する部分を膨張部１９という。バルーン部材１４の形状は特に限定されないが、本実施形態のバルーン部材１４は、膨張部１９、前側折り返し部２７及び後側折り返し部２８で構成されている。
【００２９】
バルーン部材１４は、シリコーンゴム等の伸縮性に優れた材料により形成された筒形状のものである。バルーン部材１４は、筒状部１１の外周面１７の周囲に外装され、且つ、その先端部（前端部）と基端部（後端部）とがそれぞれ筒状部１１に固定されている。バルーン部材１４の先端部及び基端部を筒状部１１に固定する方法は、特に限定されないが、例えば、接着固定とすることができる。
【００３０】
図３〜図５に示すように、本実施形態の場合、バルーン部材１４の前端部は、後方に折り返された前側折り返し部２７となっていて、筒状部１１の外周面１７に固定されている。
【００３１】
前側折り返し部２７において、筒状部１１の外周面１７に対して固定されている部位の前端位置は、外周面１７の前端位置と揃っている。これによりバルーン部材１４の前部（膨張部１９の前部）と筒状部１１の外周面１７との間隙を抑制でき、例えば、実質的に間隙が存在しないようにすることが可能となる。
【００３２】
また、バルーン部材１４の後端部は、前方に折り返された後側折り返し部２８となっていて、筒状部１１の外周面１７に固定されている。
【００３３】
後側折り返し部２８において、筒状部１１の外周面１７に対して固定されている部位の後端位置は、外周面１７の後端位置と揃っている。これによりバルーン部材１４の後部（膨張部１９の後部）と筒状部１１の外周面１７との間隙を抑制でき、例えば、実質的に間隙が存在しないようにすることが可能となる。
【００３４】
このようにバルーン部材１４の前端部及び後端部と筒状部１１の外周面１７との間隙が無い構成とすることにより、リーク検査時に当該間隙に滞留した気泡が視認用窓部１２へと流動し医療用リーク検査装置１の視認性を悪化させることを効果的に防止することができる。
【００３５】
また、バルーン部材１４が膨らむ前の状態においても、バルーン部材１４の一部分が筒状部１１の前端よりも前方に突出していることが好ましい。
【００３６】
本実施形態の場合、図３に示すように、バルーン部材１４における前側折り返し部２７以外の部分において、前側折り返し部２７に隣接する部分が、バルーン部材１４が膨らむ前の状態において筒状部１１の前端よりも前方に突出した突出部１４ａとなっている。
【００３７】
このような構造により、医療用リーク検査装置１を血管等の体腔内に挿入する際に、筒状部１１と比べて柔らかいバルーン部材１４の突出部１４ａが、筒状部１１の先端よりも先に組織に接触するようにできるため、被験体（被験者等）にとって低侵襲となる。つまり、バルーン部材１４の突出部１４ａによって、被験体の組織を筒状部１１の先端から保護することができる。
【００３８】
バルーン部材１４の表面は粗面化されていても良い。例えば、バルーン部材１４の外面を粗面化することにより、血管等の体腔の内周壁面に対するバルーン部材１４の摩擦力を増大させることができ（滑りを抑制でき）、医療用リーク検査装置１を体腔に対して安定的に固定することが可能となる。
【００３９】
一方、バルーン部材１４の内面を粗面化することにより、筒状部１１の外周面１７に対するバルーン部材１４のタッキング（貼り付き）及びバルーン部材１４の内面同士のタッキングを抑制できる。バルーン部材１４が膨らむ前の状態では、バルーン部材１４の膨張部１９の内面の一部は筒状部１１の外周面１７又は他のバルーン部材１４の内面部分に密着した状態となっている。しかし、バルーン部材１４の内面を粗面化することで、バルーン部材１４が外周面１７又は他のバルーン部材１４の部分から容易に剥離できるようになり、バルーン部材１４をスムーズに膨張させることができる。バルーン部材１４の外面及び内面の粗面化処理は、金型を粗面化してバルーン部材１４を圧縮成形することで粗面を転写する手法により行うことができる。
【００４０】
本実施形態に係る医療用リーク検査装置１では、上述したように前側折り返し部２７と後側折り返し部２８がバルーン部材１４の筒状部１１の固定に供する部分であり、膨張に供する部分である膨張部１９は前側折り返し部２７と後側折り返し部２８に積層されて筒状部１１の外周全体に亘り形成されている。
【００４１】
そしてバルーン部材１４の膨張時には膨張部１９は前側折り返し部２７と後側折り返し部２８から急峻に立ち上がるように膨張する。また、膨張部１９は筒状部１１の外周全体に亘る広い領域に設けられ、この広い領域が膨張することになる。そのためバルーン部材１４を大きく膨張させることができる。
【００４２】
また、バルーン部材１４の前端部と後端部は前後対称に同一の態様で筒状部１１に固定されている。そのためバルーン部材１４の前端部と後端部において固定の態様に起因した膨張のし易さに偏りが生じることがなく、バルーン部材１４を偏り無く膨張させることができる。
【００４３】
また、バルーン部材１４の膨張時にバルーン部材１４に加わる内圧はバルーン部材１４の内面全体に対してそれぞれ垂直に作用するため、前側折り返し部２７と後側折り返し部２８を筒状部１１に押し付ける方向に作用し、内圧がこれらを筒状部１１から剥離する方向に作用することがない。そのためバルーン部材１４の膨張時に生じる内圧によりバルーン部材１４が筒状部１１から剥離することを防止することができる。
【００４４】
なお、本発明においてはバルーン部材１４の取り付けは上述した態様に限らず、他の態様により行われてもよい。例えばバルーン部材１４を筒状部１１の外周面１７に固定する際、前側折り返し部２７や後側折り返し部２８を設けない態様としてもよい。また、バルーン部材１４の前端部分については、筒状部１１の外周面１７ではなく、先端部分に固定する態様であってもよい。
【００４５】
注液用ルーメン１５は、視認用窓部１２の前方の空間１８（図７参照）への注液を行うためのものである。注液用ルーメン１５の基端には、注液用配管１５１（図１参照）を介して注液用コネクタ２５が設けられている。
【００４６】
注液用ルーメン１５の先端部には、視認用窓部１２の前方の空間１８への注液を行うための注液口３９が形成されている。注液用コネクタ２５が図示しない注液装置に接続された状態では、注液用コネクタ２５、注液用配管１５１、注液用ルーメン１５及びその注液口３９を介した注液が可能である。
【００４７】
排気用ルーメン１６は、視認用窓部１２の前方の空間１８からの排気を行うためのものである。排気用ルーメン１６の基端には、排気用コネクタ２６（図１参照）が設けられている。
【００４８】
排気用ルーメン１６は、視認用窓部１２において注液用ルーメン１５よりも筒状部１１の周壁に近い位置に配置されている。排気用ルーメン１６が注液用ルーメン１５よりも筒状部１１の周壁に近い位置に配置されていることにより、後に詳述するように空間１８からの排気をスムーズに行うことができる。
【００４９】
排気用ルーメン１６の先端部には排気口３４が開口している。排気用ルーメン１６は、排気口３４を介して、視認用窓部１２の前方の空間１８の気体を排気する。すなわち、排気口３４、排気用ルーメン１６、排気用配管１６１及び排気用コネクタ２６を介した排気が可能である。
【００５０】
なお、視認用窓部１２の前方の空間１８（図７）は、筒状部１１の内部空間と、筒状部１１又は膨張部１９よりも前方の空間と、を含む。
【００５１】
バルーン用配管２２は、バルーン部材１４と筒状部１１との間の間隙への流体の供給と、当該間隙からの流体の排出と、を行うための配管である。筒状部１１には周壁を貫通する連通孔１１１が形成され、バルーン用配管２２は筒状部１１の内側から連通孔１１１に接続されている。視認用窓部１２におけるバルーン用配管２２の固定位置は筒状部１１に対して偏心しているとともに、視認用窓部１２における管状体２３の固定位置とバルーン用配管２２の固定位置との距離（最近接縁間距離）は管状体２３の直径以下となっている。このように視認用窓部１２において管状体２３とバルーン用配管２２とを近接して配置することにより、管状体２３とバルーン用配管２２を一体的に取り扱うことができ、医療用リーク検査装置１の操作性が向上するとともに、視認用窓部１２の視野を広く確保することができる。
【００５２】
バルーン用配管２２の固定は、バルーン用配管挿入ボス部１２２のバルーン用配管挿入孔１３２に挿入されることで行われている。バルーン用配管２２の先端部２２１はバルーン用配管挿入孔１３２内に形成されている連通孔１１１を塞がない位置において固定されている。これによりバルーン用配管２２と連通孔１１１とが連通した状態となる。バルーン用配管２２の基端側は本体部１３の後方に延びている。バルーン用配管２２の基端には、バルーン用コネクタ２４（図１参照）が設けられている。
【００５３】
バルーン部材１４と筒状部１１との間の間隙に供給される流体は、液体であっても良いし、気体であっても良い。
【００５４】
バルーン用コネクタ２４が図示しない給排液装置又は給排気装置と接続された状態で、バルーン用コネクタ２４、バルーン用配管２２、バルーン用配管挿入孔１３２及び連通孔１１１を介して、バルーン部材１４と筒状部１１との間の間隙に流体が供給されることにより、膨張部１９が膨張する。
【００５５】
一方、バルーン部材１４内の流体を、連通孔１１１、バルーン用配管挿入孔１３２、バルーン用配管２２、バルーン用コネクタ２４及び排液装置又は排気装置を介して排出することにより、膨張部１９がしぼむようになっている。排液装置又は排気装置としては、シリンジを用いることができる。
【００５６】
なお、医療用リーク検査装置１は、バルーン用配管として、バルーン部材１４と筒状部１１との間の間隙への流体の供給用の第１バルーン用配管と、バルーン部材１４と筒状部１１との間の間隙からの流体の排出用の第２バルーン用配管と、を別個に備えていても良い。
【００５７】
ワイヤ用ルーメン６１は、内部にワイヤ６０が挿通されたルーメンである。ワイヤ６０が管状体２３に挿通されていることにより、管状体２３を曲げた際にその形状を維持することができるため、医療用リーク検査装置１の操作性を向上することができる。
【００５８】
視認用窓部１２は管状体２３が挿通される管状体挿入孔１３１と、管状体挿入孔１３１の前側開口部の一部を覆うストッパ部７０を有している。管状体２３が管状体挿入孔１３１に挿通され管状体２３の前端部がストッパ部７０に当接した状態において注液用ルーメン１５の前端部と排気用ルーメン１６の前端部とが視認用窓部１２の前方の前面と面一に位置する。
【００５９】
管状体２３は、管状体２３の軸心方向が筒状部１１の軸心方向に沿うとともに、管状体２３が筒状部１１に対して偏心した状態で筒状部１１に固定されている。
【００６０】
管状体挿入孔１３１の周囲には管状体挿入ボス部１２１が形成されている。管状体２３の基端側は本体部１３の後方に延びている。注液用配管１５１及び排気用配管１６１の各々の基端側部分は、管状体２３の基端側から導出されている。
【００６１】
また、管状体２３の内部にはワイヤ６０が挿通されている。本実施形態においてワイヤ６０はワイヤ用ルーメン６１に挿通された状態で管状体２３に収容されている。
【００６２】
ワイヤ６０が管状体２３に挿通されていることにより、管状体２３を曲げた際にその形状を維持することができるため、医療用リーク検査装置１の操作性を向上することができる。
【００６３】
管状体２３の先端部はストッパ部７０の突出部７１に当接することで、視認用窓部１２の前側表面と面一になる。
【００６４】
注液用ルーメン１５の先端は管状体２３の先端に達しており、注液用ルーメン１５の前端部と管状体２３の前端部とが面一となっている。また、排気用ルーメン１６の前端部も管状体２３の先端に達しており、排気用ルーメン１６の先端と管状体２３の前端部とが面一となっている。そして管状体２３の前端部と視認用窓部１２の前側表面とが面一であることから、注液用ルーメン１５及び排気用ルーメン１６の前端部と視認用窓部１２の前面とが面一となっている。
【００６５】
図２に示すように管状体２３内の各ルーメンのうち排気用ルーメン１６は筒状部１１の周壁に最も近い位置に配置されていて、当該周壁に隣接した位置に配置されている。排気用ルーメン１６をこのように配置することにより、医療用リーク検査装置１の本体部１３及びバルーン部材１４と、大動脈弁５２と、の間の空間１８からの排気をスムーズに行うことができる。
【００６６】
また、管状体２３とバルーン用配管２２とは基端側において連結具２９（図１参照）により束ねられている。これにより使用者が管状体２３とバルーン用配管２２とを一体的に操作することができ、医療用リーク検査装置１の操作性が向上している。
【００６７】
次に、本実施形態に係る医療用リーク検査装置１の使用例を説明する。本実施形態に係る医療用リーク検査装置１は、例えば、大動脈弁形成術後、且つ、大動脈５４の縫合前の段階で、大動脈弁５２（図７）の弁機能が正常となったかどうかの検査に用いることができる。
【００６８】
先ず、図７に示すように、医療用リーク検査装置１の先端部の筒状部１１を、大動脈５４において大動脈弁５２よりも下流側の部位（以下、下流部５１）の内部、且つ、大動脈弁５２の近傍の位置に配置する。
【００６９】
ここで、バルーン部材１４が膨らむ前の状態においても、バルーン部材１４の先端部分が筒状部１１の前端よりも前方に突出しているので、医療用リーク検査装置１の先端部を大動脈５４の下流部５１に挿入する際に、筒状部１１と比べて柔らかいバルーン部材１４の先端部分が、筒状部１１の先端よりも先に組織に接触する。よって、被験体（被験者等）の負担を低減することができる。
【００７０】
次に、バルーン部材１４を膨張させることによって、本体部１３を大動脈弁５２の下流側に固定する。これにより、医療用リーク検査装置１の本体部１３及びバルーン部材１４と、大動脈弁５２と、の間の空間１８は、閉空間となる。ただし、この空間は、左右一対の冠動脈５３には繋がっている。
【００７１】
次に、管状体２３の基端側を持ち上げることにより、管状体２３の延在方向を略鉛直方向とし、本体部１３の下方に大動脈弁５２を配置する。
【００７２】
なお、以下の施術中においても、管状体２３を一定位置に保持することによって、医療用リーク検査装置１の本体部１３及びバルーン部材１４の固定を補助する。
【００７３】
次に、注液用ルーメン１５を介して空間１８に心筋保護液を注入する。すなわち、注液用ルーメン１５は、例えば、心筋保護液を注入するためのものである。ここで、空間１８に心筋保護液を注入するのと並行して、空間１８からの排気を行う。
【００７４】
ここで、医療用リーク検査装置１は前方に形成される凹部を下方に向けて使用され、空間１８内の気泡はその浮力により凹部内を上方に向けて移動する。そのため視認用窓部１２を斜めに傾け排気用ルーメン１６を上方に位置させることで気泡を排気用ルーメン１６の方向に導くことができる。
【００７５】
従来、特許文献１（登録実用新案第３１３０１５２号公報）に記載されている技術では視認用窓部の前面からの排気を行う排気孔が形成されているものの、筒状部の周壁と排気孔との境界部分における気泡の残存を防止することは困難であった。
一方で、本実施形態に係る注液用ルーメン１５の前端部は、視認用窓部１２の前面と面一に位置することにより、視認用窓部１２の前面に沿い排気用ルーメン１６の排気口３４へと移動する気泡が注液用ルーメン１５の周辺に滞留することが無くなり、気泡を排気用ルーメン１６へとスムーズに導くことができる。
【００７６】
また、排気用ルーメン１６の前端部が視認用窓部１２の前面と面一に位置することにより、医療用リーク検査装置１の使用時に医療用リーク検査装置１の前方を鉛直下方に向けた場合には視認用窓部１２の前面よりも排気用ルーメン１６の排気口３４が上方に位置することになる。そのため気泡がその浮力により自ずと視認用窓部１２の前面から排気用ルーメン１６の排気口３４へと導かれ、排気をしやすくすることができる。
【００７７】
また、管状体２３が、管状体２３の軸心方向が筒状部１１の軸心方向に沿うとともに、管状体２３が筒状部１１に対して偏心した状態で筒状部１１に固定されていることにより、排気用ルーメン１６を視認用窓部１２の周縁部分に配置することができる。これにより、空間１８内の空気を排気用ルーメン１６から排出しやすくなり、空間１８内における気体の残留をより好適に抑制することができる。
【００７８】
このように、空間１８内に気泡が残留することを防止することで、視認用窓部を介した良好な視野を確保することが可能となる。
【００７９】
空間１８の心筋保護液が所定の圧力に達するとともに当該空間１８からの排気が完了したら、空間１８内の心筋保護液の圧力のモニター（以下、単に圧力モニターと称する）や、視認用窓部１２を介した大動脈弁５２の目視観察などを行うことによって、弁機能を判断する。圧力モニターは、液圧検知用のトランスデューサー等の圧力検知部を用いて行うことができる。
【００８０】
圧力検知部は、例えば、排気用コネクタ２６と排気装置とを接続する配管に設けることができ、空間１８からの排気が完了した後で当該配管と排気装置との間を遮断することにより、圧力検知部による圧力モニターが可能となる。圧力モニターにより空間１８内の圧力低下を確認することによって、弁機能に異常があることが分かる。また、目視観察では、大動脈弁５２の閉まり具合などを観察する。
【００８１】
〔第２の実施形態〕
上記第１の実施形態における視認用窓部１２には、フィラー４１が含有されていることによって、結露を抑制するものとして説明した。しかしながら、本発明は、このような構成に限定されない。例えば、図８に示すように、第２の実施形態に係る視認用窓部１２の後方側の表面の少なくとも一部には、結露による曇りの発生を抑制する親水性処理が施された曇り発生抑制部４２が設けられている。図８は、第２の実施形態に係る曇り発生抑制部を備える医療用リーク検査装置についての図２のＣ−Ｃ線に沿った矢視断面図である。
このように、親水性処理を施されていることで、視認用窓部１２に付着した水分が球状に形成されることを抑制して、視認用窓部１２の後方側の表面に平坦な液膜が形成されやすくすることができる。そして、心臓に対する視認用窓部１２における視認性低下への影響を抑制することができる。
親水性処理としては、例えば、プラズマ／コロナ処理、エッチング処理、曇り防止剤のコーティング処理、光触媒（酸化チタン）作用を利用した表面処理等がある。例えば、コーティング処理に用いるものとしては、ＰＶＰ（ポリビニルピロリドン）、ＰＶＡ（ポリビニルアルコール）、無水マレイン酸によるもの、又はアルコール及び界面活性剤を少なくとも含んでＳｉＯ２（シリカ）を加えたもの等がある。
【００８２】
〔第３の実施形態〕
上記第１の実施形態における視認用窓部１２には、断熱性を有するフィラー４１が含有されていることによって、結露を抑制するものとして説明した。しかしながら、本発明は、このような構成に限定されない。例えば、図９に示すように、第３の実施形態に係る視認用窓部１２の前方側には、結露による曇りの発生を抑制する断熱性を有する曇り発生抑制部４３が設けられている。図９は、第３の実施形態に係る曇り発生抑制部を備える医療用リーク検査装置についての図２のＣ−Ｃ線に沿った矢視断面図である。
例えば、図９に示す曇り発生抑制部４３は、視認用窓部１２を構成する材料（ポリカーボネート等）よりも高い断熱性を有するＳｉＯ２（シリカ）等の樹脂部材４３ａで構成されている。樹脂部材４３ａは、視認用窓部１２を前面側から覆うように設けられている。換言すると、視認用窓部１２の少なくとも一部は、樹脂部材４３ａによって、筒状部１１の先端側に形成された凹部に対して隔絶されている。
曇り発生抑制部４３は、樹脂部材４３ａと、視認用窓部１２との間に空気層４３ｂが形成されることによって断熱性が高められている。このため、注液用ルーメン１５から筒状部１１の先端側に形成された凹部に注液される心筋保護液と、視認用窓部１２との間の熱の移動を抑制できる。そして、空気層４３ｂにより、結露を生じさせない程度に十分な断熱性が確保できれば、樹脂部材４３ａは、視認用窓部１２と同じ材料（ポリカーボネート等）で形成されるものであってもよい。
なお、凹部から樹脂部材４３ａを介して視認用窓部１２への熱の移動を抑制できればよく、空気層４３ｂが、樹脂部材４３ａ、筒状部１１及び視認用窓部１２によって密閉されているものに限定されない。例えば、視認用窓部１２の一部に空気層４３ｂに連通する通気孔を設けるようにしてもよい。このようにすれば、樹脂部材４３ａ、筒状部１１及び視認用窓部１２を、視認用窓部１２の通気孔を介して空気層４３ｂ側から滅菌することが可能となる。
【００８３】
また、例えば、樹脂部材４３ａは、シリカ微粒子からなるエアロゲルが内部に充填された樹脂材料等で形成されるものであったり、空気を充填する構造を内部に備える形状（例えば格子状）を有して構造的に断熱性を備えるものであってもよい。
このように、樹脂部材４３ａが視認用窓部１２の断熱性よりも高いものであれば、必ずしも図９に示すような空気層４３ｂが形成されている必要はなく、視認用窓部１２に重なるように配設されていてもよい。
さらに、断熱性を備える樹脂部材４３ａは、図９に示す視認用窓部１２の前面側を覆うように配設されるものに限定されない。例えば、視認用窓部１２の後面側を覆うように配設されるものであってもよい。このような構成であっても、樹脂部材４３ａの断熱効果により、樹脂部材４３ａの後面に結露が生じることを抑制することができる。
【００８４】
上記第１の実施形態においては、注液用ルーメン１５の前端部と排気用ルーメン１６の前端部が、視認用窓部１２の前面と面一に位置するように構成されているものとして説明した。
しかし、本発明はこのような構成に限定されず、例えば、注液用ルーメン１５の前端部と排気用ルーメン１６の前端部が、視認用窓部１２の前面よりも後方側に位置するように構成してもよい。このような構成であっても、注液用ルーメン１５の前端部と排気用ルーメン１６の前端部が、視認用窓部１２の前面と面一の位置よりも前方に位置する場合と比較して、視認用窓部１２の前方の空間１８から排気用ルーメン１６に排気しやすくできる。
特に、注液用ルーメン１５の前端部と排気用ルーメン１６の前端部が、視認用窓部１２の前面よりも後方側に位置する構成であれば、視認用窓部１２の凹部に残存した気泡を集約させて、ズムーズに排出することが可能となる。具体的には、視認用窓部１２の後方側が上方向きとなるように医療用リーク検査装置１を傾けることで、視認用窓部１２の凹部に残存した気泡を集約させて、排気用ルーメン１６からスムーズに排気することが可能となる。
【００８５】
さらには、注液用ルーメン１５の前端部と排気用ルーメン１６の前端部が、樹脂部材４３ａの前面と面一の位置又は樹脂部材４３ａの前面の位置よりも後方側に位置するように構成してもよい。
特に、注液用ルーメン１５の前端部と排気用ルーメン１６の前端部の位置を樹脂部材４２ａと面一の位置にする場合には、樹脂部材４２ａにストッパ部７０を形成するようにしてもよい。医療用リーク検査装置１が、樹脂部材４２ａを有する曇り発生抑制部４２を備える構成であっても、上記の効果と同様に、視認用窓部１２の前方の空間１８から排気用ルーメン１６に排気しやすくできる。
【００８６】
本発明の医療用リーク検査装置１の構成要素は、個々に独立した存在である必要はない。複数の構成要素が一個の部材として形成されていること、一つの構成要素が複数の部材で形成されていること、ある構成要素が他の構成要素の一部であること、ある構成要素の一部と他の構成要素の一部とが重複していること、等を許容する。
【００８７】
上記実施形態は、以下の技術思想を包含するものである。
（１）筒状部と前記筒状部を閉塞している視認用窓部とを有し、前記筒状部と前記視認用窓部とにより前方に凹部が形成されている本体部と、
前記筒状部の外周面に沿って設けられ、前記筒状部との間に流体が導入されることにより、前記筒状部の外方に向けて膨張するバルーン部材と、
前記視認用窓部の前方の空間への注液を行うための注液用ルーメン及び前記視認用窓部の前方の前記空間からの排気を行うための排気用ルーメンが形成された管状体と、
を備える医療用リーク検査装置。
（２）前記注液用ルーメンの前端部と前記排気用ルーメンの前端部とが前記視認用窓部の前面と面一に位置するか又は前記視認用窓部の前面よりも後方側に位置するように構成されている（１）に記載の医療用リーク検査装置。
（３）前記視認用窓部において前記排気用ルーメンは前記注液用ルーメンよりも前記筒状部の周壁に近い位置に配置されている（１）又は（２）に記載の医療用リーク検査装置。
（４）前記視認用窓部は前記管状体が挿通される管状体挿入孔と、前記管状体挿入孔の前側開口部の一部を覆うストッパ部を有し、
前記管状体が前記管状体挿入孔に挿通され前記管状体の前端部が前記ストッパ部に当接した状態において前記注液用ルーメンの前端部と前記排気用ルーメンの前端部とが前記視認用窓部の前方の前面と面一に位置するか又は前記視認用窓部の前面よりも後方側に位置する（１）から（３）のいずれか一項に記載の医療用リーク検査装置。
（５）前記管状体は、前記管状体の軸心方向が前記筒状部の軸心方向に沿うとともに、前記管状体が前記筒状部に対して偏心した状態で前記筒状部に固定されている（１）から（４）のいずれか一項に記載の医療用リーク検査装置。
（６）前記バルーン部材と前記筒状部との間への流体の注入と排出を行うためのバルーン用配管を備え、
前記筒状部には周壁を貫通する連通孔が形成され、前記バルーン用配管は前記筒状部の内側から前記連通孔に接続され、
前記視認用窓部における前記バルーン用配管の固定位置が前記筒状部に対して偏心しているとともに、前記視認用窓部における前記管状体の固定位置と前記バルーン用配管の固定位置との距離が前記管状体の直径以下である（１）から（５）のいずれか一項に記載の医療用リーク検査装置。
（７）前記管状体にはワイヤが挿通されている（１）から（６）のいずれか一項に記載の医療用リーク検査装置。
（８）前記視認用窓部には、断熱性を有するフィラーが含有されている（１）から（７）のいずれか一項に記載の医療用リーク検査装置。
（９）前記視認用窓部には、結露による曇りの発生を抑制する曇り発生抑制部が設けられている（１）から（７）のいずれか一項に記載の医療用リーク検査装置。
（１０）前記曇り発生抑制部は、前記視認用窓部の少なくとも一部に親水性処理が施されることによって形成された部位である（９）に記載の医療用リーク検査装置。
（１１）前記曇り発生抑制部は、アルコールと界面活性剤とを少なくとも含む曇り防止剤が前記視認用窓部に塗布されて形成された部位である（９）に記載の医療用リーク検査装置。
（１２）前記曇り発生抑制部は、前記視認用窓部の後方側に設けられている（９）から（１１）のいずれか一項に記載の医療用リーク検査装置。
（１３）前記曇り発生抑制部は、前記視認用窓部を構成する材料よりも高い断熱性を有する透明の樹脂部材を有し、
該樹脂部材は、前記視認用窓部を覆うように設けられている（９）に記載の医療用リーク検査装置。
（１４）前記曇り発生抑制部は、前記視認用窓部を覆うように設けられた樹脂部材と前記視認用窓部との間に形成された空気層とによって構成されている（９）に記載の医療用リーク検査装置。
（１５）筒状部と前記筒状部を閉塞している視認用窓部とを有し、前記筒状部と前記視認用窓部とにより前方に凹部が形成されている本体部と、
前記視認用窓部の前方の空間への注液を行うための注液用ルーメンと、を備え、
前記視認用窓部には、結露による曇りの発生を抑制する曇り発生抑制部が設けられており、
該曇り発生抑制部は、前記視認用窓部を構成する材料よりも高い断熱性を有する透明の樹脂材料であり、該樹脂部材は、前記視認用窓部を覆うように設けられていることを特徴とする医療用リーク検査装置。
【符号の説明】
【００８８】
１  医療用リーク検査装置
１１  筒状部
１２  視認用窓部
１３  本体部
１４  バルーン部材
１４ａ  突出部
１５  注液用ルーメン
１６  排気用ルーメン
１７  外周面
１８  空間
１９  膨張部
２２  バルーン用配管
２３  管状体
２４  バルーン用コネクタ
２５  注液用コネクタ
２６  排気用コネクタ
２７  前側折り返し部
２８  後側折り返し部
２９  連結具
３４  排気口
３９  注液口
４１  曇り発生抑制部
４２  曇り発生抑制部
４２ａ  樹脂部材
４２ｂ  空気層
５１  下流部
５２  大動脈弁
５３  冠動脈
５４  大動脈
６０  ワイヤ
６１  ワイヤ用ルーメン
７０  ストッパ部
７１  突出部
１１１  連通孔
１２１  管状体挿入ボス部
１２２  バルーン用配管挿入ボス部
１３１  管状体挿入孔
１３２  バルーン用配管挿入孔
１５１  注液用配管
１６１  排気用配管
２２１  先端部
【図１】
2018057839.tif 000003
【図２】
2018057839.tif 000004
【図３】
2018057839.tif 000005
【図４】
2018057839.tif 000006
【図５】
2018057839.tif 000007
【図６】
2018057839.tif 000008
【図７】
2018057839.tif 000009
【図８】
2018057839.tif 000010
【図９】
2018057839.tif 000011